(57)【要約】【課題】複数の受信機チェーンを有する受信機を使用して複数のキャリア間で選択するための方法及び装置。【解決手段】ワイアレス通信システムにおいて周波数帯域選択方法を適用する受信機が、記載される。異なる周波数帯域は、異なる選択肢のキャリア周波数及び／又は基地局セル及び／又はセクタ送信機接続選択肢に関係付けられる。移動体ノード受信機（４０１）は、２つの受信機チェーン（４０３，４０５）を含み、各チェーンは１つのキャリアに対応する信号を処理する。ある複数の実施形態では、各受信機チェーン（４０３，４０５）は、それ自身の制御可能なＲＦモジュール（４０４，４０６）を含み、そして独自のキャリア帯域選択（４０８，４３４）が、各ＲＦモジュール（４０４，４０６）において実行される。ある複数の実施形態では、２つの受信機チェーン（４０３，４０５）は、共通ＲＦモジュールを共有する：しかしながら、各チェーンは、それ自身の制御可能なベースバンド・フィルタ（４１４，４３８）を含む。種々の実施形態では、第１のチェーン（４０３）は、第２のチェーン（４０５）よりもさらに高い複雑性を有する。多くの実施形態において、各チェーンは、同じ技術、例えば、スペクトル拡散ＯＦＤＭ又はＣＤＭＡを使用する。各チェーンは、別の通信帯域についての品質指標値を取得する、そして品質指標値の比較は、ダウンリンク・トラフィック・シグナリングのためのキャリア帯域及びチャネルを選択する際に使用される。【選択図】図４
2007533254.tif 000002
【特許請求の範囲】
【請求項１】
携帯型通信デバイス、該通信デバイスは下記を具備する：
下記を含む第１の受信機チェーン：
第１の制御可能なフィルタ；
前記制御可能なフィルタに接続された第１のデコーダ回路；
信号品質検出器；及び
前記第１の受信機チェーンよりも複雑でなく、そして前記第１の受信機チェーンよりも数少ない構成要素を使用して与えられる第２の受信機チェーン、該第２の受信機チェーンは下記を含む：
ｉ）第２の制御可能なフィルタ；及び
ｉｉ）前記第２の制御可能なフィルタに接続された第１のエネルギー検出モジュール；及び
前記信号品質検出器、前記エネルギー検出器、前記第１の制御可能なフィルタ及び前記第２の制御可能なフィルタに接続された帯域選択コントローラ、そして前記帯域選択コントローラは前記信号品質検出器から受信された第１の信号品質指標の関数として該第１の制御可能なフィルタの周波数帯域を選択し、そして第２の信号品質指標は前記エネルギー検出回路の出力に対応する。
【請求項２】
請求項１の携帯型通信デバイス、ここにおいて、前記信号品質検出器は、第２の信号エネルギー検出モジュール、信号対ノイズ・モジュール及びエラー推定モジュールのうちの少なくとも１つを含む。
【請求項３】
請求項２の携帯型通信デバイス、ここにおいて、前記第１のエネルギー検出モジュールは、信号対ノイズ測定モジュール中に含まれる。
【請求項４】
請求項１の携帯型通信デバイス、
ここにおいて、前記第１の受信機チェーンは、前記携帯型通信デバイスに単独に向けられた移動体固有の信号をデコーディングすることが可能である；及び
ここにおいて、前記第２の受信機チェーンは、移動体固有の信号をデコーディングすることが可能なデコーダを持たない。
【請求項５】
請求項１の携帯型通信デバイス、ここにおいて、前記第１の制御可能なフィルタ・モジュール及び前記第２の制御可能なフィルタ・モジュールは、パスバンド・フィルタ・モジュールである。
【請求項６】
請求項１の携帯型通信デバイス、ここにおいて、前記第１の制御可能なフィルタ・モジュール及び前記第２の制御可能なフィルタ・モジュールは、ベースバンド・フィルタ・モジュールであり、該第１の受信機チェーン及び該第２の受信機チェーンは下記をさらに具備する：
該第１の制御可能なフィルタ及び該第２の制御可能なフィルタに接続された出力を有する共有パスバンド・フィルタ、該共有パスバンド・フィルタは前記第１の制御可能なベースバンド・フィルタ及び前記第２の制御可能なベースバンド・フィルタの両者によって処理された信号を通す帯域幅を有する。
【請求項７】
請求項１の通信デバイス、ここにおいて、前記帯域選択コントローラは、前記第２の周波数同期回路にさらに接続され、前記帯域セレクタは前記第１の周波数同期回路を第１の周波数帯域に同期されるように制御するために動作し、そして前記第２の周波数同期回路を前記第１の周波数帯域とは異なる第２の周波数帯域に同期されるように制御する。
【請求項８】
請求項１の通信デバイス、ここにおいて、前記第１の受信機チェーン中の前記デコーダは、移動体固有のデータに加えて同報通信データをデコーディングするための回路系を含み、前記同報通信データは制御情報を含み、そして前記移動体固有のデータは別の１つの遠隔通信デバイスとの移動体通信セッションに対応するデータを含む。
【請求項９】
請求項８の通信デバイス、ここにおいて、前記第２の受信機チェーンは、同報通信データをデコーディングするためのデコーダを含むが、移動体固有のデータをデコーディングするための回路系を含まず、前記デコーダの出力は前記エネルギー検出回路に供給される。
【請求項１０】
請求項７の通信デバイス、ここにおいて、前記第２の受信機チェーンは、デコーダ回路を含まない。
【請求項１１】
請求項１の通信デバイス、ここにおいて、第１のスペクトル拡散信号が前記第１の周波数同期回路に対応する第１の周波数帯域を使用して送信された場合に、該信号品質検出器は、信号対ノイズ比（ＳＮＲ）を検出する。
【請求項１２】
請求項１の通信デバイス、ここにおいて、前記信号品質検出器は、信号エネルギーを検出するためのエネルギー検出回路を含む。
【請求項１３】
請求項１の通信デバイス、ここにおいて、前記信号品質検出器は、検出されたエラー・レートに基づいて信号品質指標信号を発生する。
【請求項１４】
請求項１の通信デバイス、ここにおいて、前記エネルギー検出回路は、ＳＮＲ検出回路の一部である。
【請求項１５】
請求項１の通信デバイス、ここにおいて、同期回路は、スペクトル拡散タイミング同期回路である。
【請求項１６】
請求項１５の通信デバイス、ここにおいて、前記スペクトル拡散システムは、ＯＦＤＭシステムである。
【請求項１７】
請求項１５の通信デバイス、ここにおいて、該第２の受信機チェーンは、タイミング同期回路を含まない。
【請求項１８】
請求項１の通信デバイスであって、タイミング同期回路をさらに含む、ここにおいて、前記タイミング同期回路は、ＣＤＭＡパイロット信号を処理するパイロットに基づいたタイミング同期回路である。
【請求項１９】
請求項１８の通信デバイス、ここにおいて、前記第２の受信機チェーンは、前記エネルギー検出回路に接続されたパイロット・タイミング同期回路を含む。
【請求項２０】
請求項１のデバイス、ここにおいて、前記第１の受信機チェーンは、第１のワイドバンド信号を受信するためのスペクトル拡散受信機チェーンである。
【請求項２１】
請求項２０のデバイス、ここにおいて、前記第２の受信機チェーンは、同様に、第２のワイドバンド信号を受信するためのスペクトル拡散受信機チェーンであり、該第１のワイドバンド信号及び該第２のワイドバンド信号は少なくとも１ＭＨｚ幅である。
【請求項２２】
請求項２１のデバイス、ここにおいて、前記第１のワイドバンド信号及び前記第２のワイドバンド信号は、別の重ならない周波数のセットに対応する。
【請求項２３】
請求項１のデバイス、ここにおいて、該第２の受信機チェーンは、前記第１の受信機チェーンよりも少ないハードウェアを使用して与えられ、該第１の受信機チェーンを与えるために使用する該ハードウェアは前記第２の受信機チェーンよりも多くの論理ゲートを含む。
【請求項２４】
請求項１のデバイス、ここにおいて、前記第１の受信機チェーン及び前記第２の受信機チェーンは、プログラム可能なプロセッサを使用して与えられ、該第２の受信機チェーンは実行するための演算上の複雑性が前記第１の受信機チェーンよりも少なく、そして実行するために前記プログラム可能なプロセッサによってより少ない演算を必要とされる。
【請求項２５】
請求項２４のデバイス、ここにおいて、前記第２の受信機チェーンは、前記第１の受信機チェーンを実行するために必要とされるものより実行するための演算数が半分よりも少ない。
【請求項２６】
請求項１のデバイス、ここにおいて、前記第１の周波数同期回路は、パスバンド・フィルタである。
【請求項２７】
請求項１のデバイス、ここにおいて、該第１の周波数同期回路は、ミキサを含むＲＦ処理モジュールである。
【発明の詳細な説明】
【技術分野】
【０００１】
本発明は、通信システムに係り、そしてより詳しくは、２つの受信機チェーンを含んでいるワイアレス通信デバイスを与えるためのそして使用するための方法及び装置に関し、ここで該方法は、複数のキャリアの間での選択をサポートするために２つの受信機チェーンを使用するための方法を含むことができる。
【背景技術】
【０００２】
実行の観点から、通信システムの異なる部分において異なるキャリアを使用することは、有利であり得る、例えば、異なる周波数への権利が、異なる地理的な場所に所有されるためであり、及び／又は異なるキャリアのユーザを通した信号干渉を最小にするために望ましいためである。スペクトル拡散ワイアレス通信システムは、異なる周波数帯域に関係付けられる各キャリアを用いてシステム全体を通して異なるキャリアを使用できる。ある複数のワイアレス通信システムでは、異なるセル及び／又はセクタは、異なるキャリアを使用する。ある複数のシステムでは、同じセクタ又は同じセルは、各々が関係する周波数帯域を用いる別のキャリアを使用する、例えば、そこでは、セル又はセクタおいて利用可能な全体のバンド幅が、異なる周波数帯域、例えば、別個の周波数帯域に区分される。
【０００３】
ワイアレス端末（ＷＴ：wireless terminal）、例えば、移動体ノードは、通信システム全体を移動でき、そして特定のキャリア周波数及び、例えば、ダウンリンク・シグナリングのために関係付けられた帯域を使用する所与のセクタ／セル基地局との接続を確立できる。例えば、キャリア周波数におけるローディング状態の変化、例えば、より多くのユーザ、のために、干渉のレベルの変化のために、又はＷＴの移動、例えば、セル／セクタ境界に近づくことのために、状態が変化するので、別のキャリアに乗り換えることそして基地局送信機に対応している別のセル／セクタ／キャリア周波数に接続することが、ＷＴにとって有利であり得る又は必要であり得る。一般的に、公知のシステムにおいて、複数のワイアレス端末受信機実行手段は、１つの受信機チェーンを使用し、そしてワイアレス端末は、例えば、基地局による通信の中断によって切り替えることを強いられるまで同じキャリア上に留まる。ＷＴが境界において通信の中断を経験するため、そしてＷＴがシステム全体を移動するにつれて受信品質の変化、例えば、フェーディングを経験するので、このアプローチは、望ましくない。その他の公知の受信機実行手段は、１つの受信機チェーンを使用し、そこでは、接続された基地局送信機との通信に割り込み、そして代わりの可能性のあるキャリアを検索しそして評価するために、一時的に使用中のキャリアから切り替える。このアプローチは、望ましくない。その理由は、ＷＴが、検索インターバルのあいだ通常の通信セッションを中断させ、各検索周波数に対して調節するためにフィルタ、例えば、ＲＦフィルタを再同調させる時間を消費し、検出されたキャリアを待つため、いずれかの受信した信号、例えば、パイロット信号を受け取りそして評価するために時間を消費し、そしてその後、元のキャリア設定に再同調させるための時間を消費するためである。
【０００４】
上の議論の観点から、効率的なワイアレス端末受信機設計及び動作に向けられた改善された方法及び装置に対する必要性があることは、明白である。そのような装置及び方法が、進行中の通信セッションを中断させることなく同時に異なるキャリア周波数帯域を使用する２つの選択肢のチャネルの品質を推定することを可能にするのであれば、好都合である。同様に、選択肢のキャリアを連続的にトラッキングすること、キャリア周波数／セル／セクタ基地局接続点のワイアレス端末選択を可能にし、通信の中断の前に切り替えることを可能にし、従来の点で切り替えが生じることを可能にし、そして、他の事柄、例えば、システム・ロード状態に応じて切り替えることを可能にするために、そのような方法が提供されるのであれば、有利であるはずである。
【発明の開示】
【０００５】
［発明のサマリー］
本発明は、ワイアレス通信デバイスを実行させるための方法及び装置に向けられている。本発明のデバイスは、複数の受信機チェーンを含む。
【０００６】
ワイアレス通信システムにおいて周波数帯域選択方法を適用する本発明にしたがって実行される種々の受信機が、説明される。異なる周波数帯域は、異なる選択肢のキャリア周波数及び／又は基地局セル及び／又はセクタ送信機接続選択肢に関係付けられる。ワイアレス端末、例えば、パーソナル・ディジタル・アシスタンツ、ノートブック・コンピュータ、等のような移動体ノードは、２つの受信機チェーンを含み、各チェーンは１つのキャリアに対応する信号を処理する。ある複数の実施形態では、各受信機チェーンは、それ自身の制御可能なＲＦモジュールを含み、そして個々のキャリア帯域選択は、各ＲＦモジュールにおいて実行される。他の実施形態では、２つの受信機チェーンは、共通ＲＦモジュールを共有するが、各チェーンは、それ自身の制御可能なベースバンド・フィルタを含む。多くの実施形態では、第１の受信機チェーンは、例えば、使用されるハードウェア及び／又は実行される演算に関して、第２の受信機チェーンよりもさらに高い実行複雑性を有する。全ての実施形態ではないが多くの場合において、各チェーンは、同じ通信技術、例えば、スペクトル拡散ＯＦＤＭ又はＣＤＭＡを使用する。
【０００７】
本発明にしたがって、各チェーンは、別の通信帯域に対する品質指標値を取得し及び／又は発生し、そして複数の品質指標値の比較は、ダウンリンク・トラフィック・シグナリングのためのキャリア帯域及びチャネルを選択する際に使用される。
【０００８】
本発明の多くの付加的な利点及び実施形態が、下記の詳細な説明において考察される。
【０００９】
［発明の説明］
図１は、本発明にしたがって実行され、複数のキャリア及びスペクトル拡散シグナリングをサポートする具体例のワイアレス通信システム１００を示す。システム１００は、本発明の装置及び方法を使用する。図１は、複数の具体例の複数セクタ・セル、セル１  １０２、セル２  １０４、セル３  １０６を含む。各セル（１０２，１０４，１０６）は、基地局（ＢＳ：base station）、（ＢＳ１  １０８、ＢＳ２  １１０、ＢＳ３  １１２）に関するそれぞれ無線交信可能地域を表す。具体例の実施形態では、各セル１０２，１０４，１０６は、３個のセクタ（Ａ，Ｂ，Ｃ）を含む。セル１  １０２は、セクタＡ１１４、セクタＢ１１６、及びセクタＣ１１８を含む。セル２  １０４は、セクタＡ１２０、セクタＢ１２２、及びセクタＣ１２４を含む。セル３  １０６は、セクタＡ１２６、セクタＢ１２８、及びセクタＣ１３０を含む。他の実施形態では、異なる数のセクタ、例えば、セル当り１セクタ、セル当り２セクタ、又はセル当り３より多くのセクタ、が可能である。その上、異なるセルは、異なる数のセクタを含むことができる。
【００１０】
ワイアレス端末（ＷＴ：wireless terminal）、例えば、移動体ノード（ＭＮ：mobile node）は、システム全体を移動でき、そしてＢＳへのワイアレス・リンクを介してピアー・ノード、例えば、別のＭＮ、と通信できる。セル１  １０２のセクタＡ１１４において、ＷＴ（１３２，１３４）は、それぞれワイアレス・リンク（１３３，１３５）を介してＢＳ１  １０８に接続される。セル１  １０２のセクタＢ１１６において、ＷＴ（１３６，１３８）は、それぞれワイアレス・リンク（１３７，１３９）を介してＢＳ１  １０８に接続される。セル１  １０２のセクタＣ１１８において、ＷＴ（１４０，１４２）は、それぞれワイアレス・リンク（１４１，１４３）を介してＢＳ１  １０８に接続される。セル２  １０４のセクタＡ１２０において、ＷＴ（１４４，１４６）は、それぞれワイアレス・リンク（１４５，１４７）を介してＢＳ２  １１０に接続される。セル２  １０４のセクタＢ１２２において、ＷＴ（１４８，１５０）は、それぞれワイアレス・リンク（１４９，１５１）を介してＢＳ２  １１０に接続される。セル２  １０４のセクタＣ１２４において、ＷＴ（１５２，１５４）は、それぞれワイアレス・リンク（１５３，１５５）を介してＢＳ２  １１０に接続される。
【００１１】
複数のＢＳは、ネットワークを介して一緒に接続されることができる、そのようにして与えられたセルの外に位置する複数のピアーへの与えられたセル内部の複数のＷＴに対する接続性を提供する。システム１００において、ＢＳ（１０８，１１０，１１２）は、それぞれネットワーク・リンク（１７０，１７２，１７４）を介してネットワーク・ノード１６８に接続される。ネットワーク・ノード１６８、例えば、ルータは、他のネットワーク・ノード、例えば、別の基地局、ルータ、ホーム・エージェント・ノード、ＡＡＡサーバ・ノード、等に、及びネットワーク・リンク１７６を介してインターネットに接続される。ネットワーク・リンク１７０，１７２，１７４，１７６は、例えば、光ファイバ・リンクであり得る。
【００１２】
ＢＳ１０８，１１０，１１２は、セクタに分けられた送信機を含み、各セクタ送信機は、本発明にしたがって、ダウンリンク信号、例えば、割り当て信号、ビーコン信号、及び／又はパイロット信号のような同報通信信号、及びダウンリンク・トラフィック信号のような特定の（複数の）ＷＴに宛てられた信号を使用する。そのようなダウンリンク信号は、ＷＴ、例えば、ＷＴ１３２への情報を提供する、これは、どのキャリア周波数を選択するかそしてどの対応する基地局セクタ／セルを接続点として使用するかを、評価するためそして決定するために使用されることができる。ＷＴ、例えば、ＷＴ１３２は、ＢＳ１０８，１１０，１１２からの情報を処理する能力がある受信機を含み、選択肢の複数のキャリア周波数帯域上に情報を提供する。そのキャリア周波数帯域は、通常の通信、例えば、ＷＴへのダウンリンク・トラフィック・チャネル・シグナリングのために使用されることができ、そしてＷＴによって選択されることができる。本発明にしたがって、ＷＴは、２つの選択肢のキャリア周波数帯域の範囲内からダウンリンク信号を受信でき、そして同時に２つの選択肢のキャリア周波数接続オプションを評価できる。
【００１３】
図２は、本発明にしたがって与えられる具体例の基地局２００、あるいは、アクセス・ノードと呼ばれる、を図示する。ＢＳは、アクセス・ノードと呼ばれる、その理由は、ＷＴのネットワーク接続の点として機能し、そしてネットワークへのＷＴのアクセスを提供するためである。図２の基地局２００は、図１のシステム１００の基地局１０８，１１０，１１２のいずれかのより詳細な表示であり得る。基地局２００は、バス２１４を介して一緒に接続されたプロセッサ２０２、例えば、ＣＰＵ、デコーダ２０６を含む受信機２０４、セクタ化された送信機２０８、メモリ２１０、及びＩ／Ｏインターフェース２１２を含み、バスを介して種々の構成要素はデータ及び情報を交換できる。受信機２０４は、セクタに分割されたアンテナ２１６に接続され、そして基地局２００によってカバーされたセクタの各々の中のワイアレス端末３００（図３参照）から信号を受信できる。受信機のデコーダ２０６は、受信されたアップリンク信号をデコードし、そして送信の前にＷＴ３００によってエンコードされた情報を抽出する。セクタ化された送信機２０８は、複数の送信機、セクタ１送信機２１８、セクタＮ送信機２２０、を含む。各セクタ送信機（２１８，２２０）は、ダウンリンクデータ／情報をエンコードするためのエンコーダ（２２２，２２４）を含み、そしてそれぞれアンテナ（２２６，２２８）に接続される。各アンテナ２２６，２２８は、異なるセクタに対応し、そしてそのセクタにアンテナが対応しそして配置されることができるセクタに送信するように通常は向けられる。アンテナ２２６，２２８は、別々であることがある又は異なるセクタのために別の素子を有する１つのマルチ・セクタ・アンテナの異なる素子に対応することがある。各セクタ送信機（２１８，２２０）は、ダウンリンク・シグナリング、例えば、ダウンリンク・トラフィック信号、割り当て信号、パイロット信号、及び／又はビーコン信号、に対して使用されるべき割り当てられたキャリア周波数帯域を有する。基地局Ｉ／Ｏインターフェース２１２は、基地局２００を別のネットワーク・ノード、例えば、別のアクセス・ノード、ルータ、ＡＡＡサーバ、ホーム・エージェント・ノード、及びインターネットに接続する。メモリ２１０は、ルーチン２３０及びデータ／情報２３２を含む。プロセッサ２０２は、ルーチン２３０を実行し、そしてメモリ２１０中のデータ／情報２３２を使用して基地局２００の動作を制御する。基地局２００の動作は、本発明にしたがって異なるパワー・レベル、パワー制御、タイミング制御、通信、シグナリング、及びビーコン・シグナリング、を使用して異なるキャリア周波数上のユーザをスケジュールすることを含む。特定のキャリア周波数上の特定のユーザ、例えば、特定のＷＴ３００、のスケジューリングは、本発明にしたがって、ＷＴ３００によって実行された選択への応答であことができる。
【００１４】
メモリ２１０中のデータ／情報２３２は、データ２３４、例えば、ワイアレス端末３００に送信されようとしているユーザ・データ及びワイアレス端末３００から受信されようとしているユーザ・データ、各セクタに関係するキャリア周波数及びセクタ内の各キャリア周波数に関係するデータ送信パワー・レベルを含むセクタ情報２３６、複数のキャリア周波数情報（キャリア１情報２３８、キャリアＮ情報２４０）、ビーコン情報２４２、及びシステム・ローディング情報２４３を含む。キャリア周波数情報（２３８，２４０）は、キャリアの周波数及び関係する帯域幅を規定する情報を含む。ビーコン情報２４２は、トーン情報、例えば、固有の周波数及びキャリアを有する各セクタ中のビーコン信号に関係する情報、及びビーコン信号を送信するために関係するシーケンス・タイミングを含む。システム・ローディング情報２４３は、基地局２００によってサポートされる種々のキャリア帯域の各々の合成ローディング情報を含む。システム・ローディング情報２４３は、基地局２００からＷＴ３００に送信されることができる。ＷＴ３００は、ある複数の実施形態では、受信機チェーン内で設定する帯域の選択の決定プロセスにおいて、情報を使用できる。
【００１５】
メモリ２１０中のデータ／情報２３２は、同様に、各ＷＴに対して１セットの、複数のＷＴデータ／情報２４４セット：ＷＴ１データ／情報２４６、ＷＴ  Ｎデータ／情報２４８、を含む。ＷＴ１データ／情報２４６は、ＷＴ１から／へ転送しているユーザ・データ、基地局２００にＷＴを関係付ける端末ＩＤ、そのセクタ中にＷＴ１が現在位置しているセクタを識別するセクタＩＤ、及びダウンリンク・シグナリングのために使用される特定のキャリア周波数にＷＴ１を関係付けるキャリア周波数情報を含む。
【００１６】
基地局ルーチン２３０は、通信ルーチン２５０及び基地局制御ルーチン２５２を含む。通信ルーチン２５０は、基地局２００によって使用される種々の通信プロトコルを与えることができる。基地局制御ルーチン２５２は、スケジューラ・モジュール２５４及びシグナリング・ルーチン２５６を含む。基地局制御ルーチン２５２は、本発明にしたがって受信機２０４、送信機（２１８，２２０）を含む基地局動作、スケジューリング、シグナリング、及びビーコン・シグナリングを制御する。スケジューラ・モジュール２５４、例えば、スケジューラは、アップリンク通信及びダウンリンク通信のためにワイアレス端末３００への無線リンク・リソース、例えば、時間のあいだの帯域幅、をスケジューリングするために使用される。基地局制御ルーチン２５２は、同様にシグナリング・ルーチン２５６を含む。これは、受信機２０４、デコーダ２０６、送信機２１８，２２０、エンコーダ２２２，２２４、通常の信号発生、データ及び制御トーン・ホッピング、及び信号繰り返しを制御する。シグナリング・ルーチン２５６に同様に含まれたビーコン・ルーチン２５８は、本発明にしたがってビーコン信号の発生及び送信を制御するためにビーコン情報２４２を使用する。本発明にしたがって、ある複数の実施形態では、ビーコン信号、例えば、周波数に関して相対的に狭い高パワー信号は、そのセクタ送信機に割り当てられたキャリア帯域の範囲内で各セクタ送信機によって送信されることができる。これらのビーコン信号は、ある複数の実施形態では、選択肢の利用可能なキャリア信号を比較するため、そして選択肢のキャリアを使用している選択肢のダウンリンク・チャネルを評価するためにＷＴ３００によって使用される。
【００１７】
図３は、本発明にしたがって実行されそして本発明の方法を使用する、具体例のワイアレス端末３００、例えば、移動体ノード、を図示する。図３のワイアレス端末３００は、図１のシステムのＷＴ１３２，１３４，１３６，１３８，１４０，１４２，１４４，１４６，１４８，１５０，１５２，１５４，１５６，１５８，１６０，１６２，１６４，１６６のいずれかのより詳細な説明であり得る。ワイアレス端末３００は、バス３１０を介して一緒に接続された受信機３０２，送信機３０４，プロセッサ３０６、例えば、ＣＰＵ、及びメモリ３０８を含み、バスを介して種々の要素はデータ及び情報を交換できる。
【００１８】
受信機３０２は、アンテナ３１２に接続され、アンテナ３１２を通してダウンリンク信号が複数の基地局セクタ送信機及び対応するセクタ・アンテナ２２６，２２８から受信される。受信機３０２は、第１のスペクトル拡散受信機チェーン３１４、第２のスペクトル拡散受信機チェーン３１８、及び帯域選択コントローラ３１６を含む。第１のスペクトル拡散受信機チェーン３１４は、第１のＲＦモジュール（周波数同期回路）３２０、第１の受信機チェーン増設モジュール３２２、及びディジタル・シグナル処理モジュール３２４を含む。ディジタル・シグナル処理モジュール３２４は、デコーダ３２６及び信号品質検出器モジュール３２８を含む。第２のスペクトル拡散受信機チェーン３１８は、第２のＲＦモジュール（周波数同期回路）３３０、第２の受信機チェーン増設モジュール３３２、及びエネルギー検出及び／又はＳＮＲ検出モジュール３３４を含む。多くの実施形態では、第１の受信機チェーン３１４は、第２の受信機チェーン３１８よりも大きな能力を有し、そして第１の受信機チェーンは、ダウンリンク・トラフィック・データ／情報をデコードしそして転送するために使用されるチェーンである。
【００１９】
第１のＲＦモジュール３２０、第１の受信機チェーン増設モジュール３２２、及びディジタル・シグナル処理モジュール３２４は、ダウンリンク信号を受信し、デコーディングし、測定し、そして評価するために使用され、ダウンリンク信号は、特定の第１のキャリア周波数に関係付けられた現在選択されている第１の帯域上で基地局セクタ送信機によって伝送される、例えば、割り当て信号、ダウンリンク・トラフィック・チャネル・データ及び情報信号、パイロット信号、及び／又はビーコン信号を含む。帯域選択コントローラ３１６は、特定のキャリア周波数を選択するために第１のＲＦモジュール３２０に信号を出力する；第１のＲＦモジュール３２０は、選択されたキャリア周波数帯域の範囲内の信号を通し、そして選択されたキャリア周波数帯域の範囲外の少なくとも複数の信号を除去する。ＲＦモジュール３２０により通過された出力信号は、処理される、例えば、第１の受信機チェーン増設モジュール３２２によってさらにフィルタされそしてアナログ信号からディジタル信号に変換される。それから、信号は、第１の受信機チェーン増設モジュール３２２から出力され、そしてディジタル・シグナル処理モジュール３２４に転送される。ディジタル・シグナル処理モジュール３２６は、デコーダ３２６を含み、これはユーザ固有の信号及び同報通信信号の両者をデコードできる。ディジタル・シグナル処理モジュールは、しかも、信号品質検出器モジュール３２８を含み、これは第１のＲＦモジュール３２０によって選択されたキャリアを使用するＷＴ３００と基地局セクタ送信機との間のダウンリンク・シグナリング品質の指標である品質指標情報を発生する。
【００２０】
第２のＲＦモジュール３３０及び第２の受信機チェーン増設モジュール３３２は、第１のキャリア帯域における受信と並行して第２のキャリア帯域を使用している第２の基地局セクタ送信機からダウンリンク信号を受信するために使用され、第２のキャリア帯域は第１のキャリア帯域とは異なる。第２のＲＦモジュール３３０及び第２の受信機チェーン増設モジュール３３２を通して処理される信号は、エネルギー検出及び／又はＳＮＲ検出モジュール３３４よってエネルギー検出及び／又はＳＮＲを評価される。
【００２１】
第２のＲＦモジュール３３０、第２の受信機チェーン増設モジュール３３２、及びエネルギー検出及び／又はＳＮＲ検出モジュール３３４は、ダウンリンク信号を受信し、測定しそして評価するために使用され、ダウンリンク信号は、特定の第２のキャリア周波数に関係付けられた現在選択された第２の帯域上で基地局セクタ送信機によって通信される、例えば、割り当て信号、ダウンリンク・トラフィック・チャネル・データ及び情報信号、パイロット信号、及び／又はビーコン信号を含む。ある複数の実施形態では、デコーディングは、複数の同報通信信号上で実行される。帯域選択コントローラ３１６は、特定のキャリア周波数を選択するために第２のＲＦモジュール３３０に信号を出力する；第２のＲＦモジュール３３０は、選択されたキャリア周波数帯域の範囲内の信号を通し、そして選択されたキャリア周波数帯域の範囲外の少なくとも複数の信号を除去する。第２のＲＦモジュール３３０により通過された出力信号は、処理される、例えば、第２の受信機チェーン増設モジュール３３２によってさらにフィルタされそしてアナログ信号からディジタル信号に変換される。それから、信号は、第２の受信機チェーン増設モジュール３３２から出力され、そしてエネルギー検出及び／又はＳＮＲ検出モジュール３３４に転送される。エネルギー検出及び／又はＳＮＲ検出モジュール３３４は、第２のＲＦモジュール３３０によって選択されたキャリアを使用するＷＴ３００と基地局セクタ送信機との間のダウンリンク・シグナリング品質の指標である品質指標情報を発生する。
【００２２】
ディジタル・シグナル処理モジュール３２４の信号品質検出器モジュール３２８からの及びエネルギー検出及び／又はＳＮＲ検出モジュール３３４からの出力、例えば、品質指標値は、帯域選択モジュール３１６に入力される、帯域選択モジュール３１６は、本発明にしたがって、ＲＦモジュール（周波数同期回路）３２０，３３０における周波数帯域設定の選択を制御する。
【００２３】
ある複数の実施形態では、第１の受信機チェーン３１４及び第２の受信機チェーン３１８は、２つの別個のＲＦモジュール（３２０，３３０）の代わりに共通ＲＦモジュールを使用する。そのような実施形態では、帯域選択コントローラ３１６は、第１の受信機チェーン増設モジュール及び第２の受信機チェーン増設モジュール（３２２，３３２）に接続され、例えば、モジュール（３２０，３３０）内部のベースバンド・フィルタを制御して、そしてそれにより各チェーン３１４，３１８に対する情報を含んでいる別のキャリア周波数帯域を通す。例えば、共通ＲＦモジュールは、５ＭＨｚ  ＢＷ信号を通すことができ、一方で各ベースバンド・フィルタは、異なる１．２５ＭＨｚ  ＢＷ信号を選択的に通過させるはずである。
【００２４】
多くの実施形態では、第１の受信機チェーン３１４は、第２の受信機チェーン３１８よりも高いレベルの複雑性を有する。多くの実施形態では、第１の受信機チェーン３１４は、第２の受信機チェーンと同じ技術を使用する、例えば、両方のチェーンがスペクトル拡散ＯＦＤＭ信号を処理するように実行される、又は両方のチェーンがＣＤＭＡ信号を処理するように実行される。ある複数の実施形態では、２つの受信機チェーン３１４，３１８は、同じレベルの複雑さを有する。
【００２５】
送信機３０４は、エンコーダ３３６を含み、そして送信機アンテナ３３８に接続される。データ／情報、例えば、アップリンク・データ／情報のブロックは、エンコーダ３３６によってエンコードされることができ、そしてそれから基地局２００にアンテナ３３８を経由して送信される。
【００２６】
メモリ３０８は、ルーチン３４０及びデータ／情報３４２を含む。プロセッサ３０６、例えば、ＣＰＵは、ルーチン３４０を実行し、そしてメモリ３０８中のデータ／情報３４２を使用してＷＴ３００を動作させ、そして本発明の方法を実行する。
【００２７】
ワイアレス端末データ／情報３４２は、ユーザ・データ３４４、ユーザ・デバイス／セッション・リソース情報３４６、現在のチェーン１の選択されたキャリア情報３４８、現在のチェーン２の選択されたキャリア情報３５０、セル／セクタ情報３５２、キャリア周波数情報３５４、検出された信号情報３５６、及びキャリア選択情報３５８を含む。
【００２８】
ユーザ・データ３４４は、ワイアレス端末３００を用いた通信セッションにおいてピアー・ノードへ送信しようとしている／又はそこから受信しようとしているデータ、情報及びファイルを含む。ユーザ・デバイス／セッション・リソース情報３４６は、例えば、端末ＩＤ情報、基地局ＩＤ情報、セクタＩＤ情報、選択されたキャリア周波数情報、モード情報、及び識別されたビーコン情報を含む。端末ＩＤ情報は、その基地局にＷＴ３００が接続されている基地局２００によってＷＴ３００に割り当てられた識別子であることができ、それは基地局２００に対するワイアレス端末３００を識別する。基地局ＩＤ情報は、例えば、基地局２００に関係付けられ、そしてホッピング・シーケンスにおいて使用されるスロープの値であることができできる。セクタＩＤ情報は、セクタに分けられた基地局の送信機／受信機のセクタＩＤを識別する情報を含み、その送信機／受信機を経由して通常のシグナリングが通信され、そしてそのセクタ中にワイアレス端末３００が位置しているセルのセクタに対応することができる。選択されたキャリア周波数情報は、キャリア、例えば、そのキャリアに第１のＲＦモジュールが同調されているキャリアを識別する情報、ダウンリンク・データ・シグナリング、例えば、トラフィック・チャネル信号のためにＢＳによって使用される情報を含む。モード情報は、ワイアレス端末３００がオン状態／ホールド状態／スリープ状態にあるかどうかを識別する。
【００２９】
現在のチェーン１の選択されたキャリア情報３４８は、そのキャリアに第１のＲＦモジュール３２０が帯域選択コントローラ３１６によって同調されている選択されたキャリアを識別する情報を含む。現在のチェーン２の選択されたキャリア情報３５０は、そのキャリアに第２のＲＦモジュール３３０が帯域選択コントローラ３１６によって同調されている選択されたキャリアを識別する情報を含む。セル／セクタＩＤ情報３５２は、データ、情報、制御信号、及びビーコン信号の処理において、送信において、及び受信において使用されるホッピング・シーケンスを構築するために使用される情報を含むことができる。キャリア周波数情報３５４は、特定のキャリア周波数又は複数のキャリア周波数、周波数帯域、ビーコン信号、及び複数のトーンのセットを有する通信システム中の基地局の各セクタ／セルに関係する情報を含むことができる。キャリア周波数情報３５４は、同様に、品質指標関係情報３５５を含み、これは特定のキャリア周波数と各品質指標値とを関係付け、この特定のキャリア周波数は、帯域選択コントローラ３１６によって選択されることができる。
【００３０】
検出された信号情報３５６は、信号エネルギー情報３６０、ＳＮＲ情報３６２、推定されたエラー情報３６４、第１の品質指標値３６６、及び第２の品質指標値３６８を含む。検出された信号情報３５６は、同様に、同期情報３７０、及び／又は同報通信信号情報３７２を含む。
【００３１】
検出された信号情報３５６は、ディジタル・シグナル処理モジュール３２４の信号品質検出器３２８から出力されてきている情報、及び受信機３０２中のエネルギー検出及び／又はＳＮＲ検出モジュール３３４から出力されてきている情報を含む。信号品質検出器モジュール３２８は、第１の送信機によって送信され、そしてその帯域に第１の受信機チェーン３１４が設定されている第１の選択されたキャリア帯域内で通信される信号の信号エネルギー３６０、ＳＮＲ３６２、及び／又は推定されたエラー・レート３６４を測定しそして記録できる。信号品質検出器モジュール３２８は、その帯域に第１の受信機チェーン３１４が現在設定されているキャリア帯域を使用している時に、第１の送信機とＷＴ３００との間のチャネル、例えば、ダウンリンク・トラフィック・チャネルの品質の指標である第１の品質指標値３６６を決定する。エネルギー検出及び／又はＳＮＲ検出モジュール３３４は、第２の送信機によって送信され、そしてその帯域に第２の受信機チェーン３１８が設定されている選択された第２のキャリア帯域内で通信される信号の信号エネルギー３６０、及び／又はＳＮＲ３６４を測定しそして記録できる。エネルギー検出及び／又はＳＮＲ検出モジュール３３４は、その帯域に第２の受信機チェーン３１８が現在設定されている第２のキャリア帯域、選択肢のキャリア帯域、を使用して第２の送信機とＷＴ３００との間の選択肢のチャネル、例えば、選択肢のダウンリンク・トラフィック・チャネルの品質の指標である第２の品質指標値３６８を決定する。
【００３２】
同期情報３７０は、例えば、ＣＤＭＡパイロット信号を処理している間に、第２の受信機チェーン増設モジュール３３２によって使用される及び／又は取得される、例えば、パイロット信号に基づいたタイミング同期情報を含むことができる。同報通信情報３７２は、信号、例えば、パイロット信号又はビーコン信号を処理している間に、第２の受信機チェーン増設モジュール３３２によって使用される及び／又は取得される、例えば、同報通信に関係した情報を含むことができる。
【００３３】
キャリア選択情報３５８は、予め決められたしきい値情報３７４、予め選択されたインターバル情報３７６、レートの変更情報３７８，サービスの品質情報３８０、及びシステム・ローディング情報３８２を含む。キャリア選択情報３５８は、検出された信号情報を評価している時に、例えば、第１の品質指標値３６６を第２の品質指標値３６８と比較している時に、帯域選択判断を行う際にＷＴ３００によって使用される情報、例えば、基準、限度、等である。予め決められたしきい値情報３７４は、帯域選択判断を行うために品質指標値３６６，３６８に対して比較するために使用されるレベルを含む。予め選択されたインターバル情報３７６は、一定期間の時間インターバル及び一定数の信号測定のインターバルを含む。その各々は、帯域選択コントローラ３１６が第１の受信機チェーン３１４に対する選択を変更する前に、そのインターバルにおいて、例えば、第２の品質指標が第１の品質指標を超える一貫した状態が存在するはずである、予め決められたインターバルを規定するために使用されることができる。レートの変更情報３７８は、第１の信号品質指標値が時間の間に減少する一方で、第２の信号品質指標値が時間の間に増加し、そして第１の品質指標値と第２の品質指標値との間の差が符号の極性を変える時を識別するために使用する基準を含む。サービスの品質（ＱｏＳ：Quality of Service）情報３８０は、個々のユーザに提供されるＱｏＳ、１つのユーザに提供されようとしているＱｏＳのレベルの関数としての帯域選択、及びそのユーザに提供されようとしているＱｏＳのレベルの変更の結果として選択する際の変更、に関係する情報を含む。システム・ローディング情報３８２は、帯域選択に関する機能制御判断に使用されることができる基地局２００によって通信されるシステム・ローディングに関係する受信された情報を含む。
【００３４】
ＷＴルーチン３４０は、通信ルーチン３８４及びワイアレス端末制御ルーチン３８６を含む。ワイアレス端末通信ルーチン３８４は、ワイアレス端末３００によって使用される各種の通信プロトコルを与えることができる。ワイアレス端末制御ルーチン３８６は、ワイアレス端末３００の機能的制御動作を実行し、それは本発明にしたがったパワー制御、タイミング制御、シグナリング制御、データ処理、Ｉ／Ｏ、受信機制御及びキャリア帯域選択機能を含む。ＷＴ制御ルーチン３８６は、シグナリング・ルーチン３８８、受信機制御モジュール３９０及びキャリア帯域選択モジュール３９２を含む。メモリ３０８中のデータ／情報３４２を使用するシグナリング・ルーチン３８８は、ＷＴ３００のシグナリング、例えば、アップリンク通信された信号及びダウンリンク通信された信号を制御する。モジュール３２４，３３４と協調して受信機コントローラ・モジュール３９０は、本発明にしたがって、デコーディング、受信された信号上で実行されるエネルギー検出及び／又はＳＮＲ検出、及び第１の品質指標値及び第２の品質指標値３６６，３６８の発生、を含む受信機３０２の動作を制御する。帯域選択コントローラ３１６と協調してキャリア帯域選択モジュール３９２は、本発明にしたがって、第１の品質指標値及び第２の品質指標値３６６，３６８、同様にキャリア選択情報３５８を含む受信した信号から導き出されたデータ／情報を使用して、受信機３０２のＲＦモジュール３２０，３３０を同調させるために選択するキャリアに関する判断を行う。
【００３５】
図４は、本発明にしたがった具体例のワイアレス端末受信機４０１／アンテナ４０２組み合わせ４００の一例である。図４の受信機／アンテナ組み合わせ４００は、図３のＷＴ３００中の受信機３０２／アンテナ３１２組み合わせ４００として使用されることができる。受信機４０１は、本発明にしたがった受信機の具体例の実施形態を図示し、これは同時に２つの選択されたキャリア帯域に含まれる信号、例えば、異なる送信機によって送信された信号及び／又は異なる送信アンテナによって送信された信号を処理できる。各受信されたキャリア帯域信号は、異なるセルのセクタ及び／又は異なるセルに対応することができる。図４の受信機４０１は、バス４０９を介して一緒に接続された第１の受信機チェーン４０３，第２の受信機チェーン４０５、帯域選択コントローラ４１２、及びＩ／Ｏインターフェース４０７を含み、バスを介して種々の要素はデータ及び情報を交換できる。受信機は、受信機４０１をバス３１２に接続するＩ／Ｏインターフェース４０７を介してＷＴ３００の別の要素と通信できる。デコードされたダウンリンク・トラフィック・チャネル信号は、例えば、ディスプレイのような１又はそれより多くの外部デバイス及び／又は別のＷＴ構成要素にＩ／Ｏインターフェース４０７を介して伝達されることができる。
【００３６】
第１の受信機チェーン４０３、第２の受信機チェーン４０５、及び帯域選択コントローラ４１２は、図３のＷＴ３００の、それぞれ要素（３１４，３１８，３１６）に対応することができる。受信機４０１は、複数のセクタ／セル基地局送信機からのダウンリンク信号を受信するアンテナ４０２に接続される。アンテナ４０２は、第１のＲＦ処理モジュール（周波数同期回路）４０４及び第２のＲＦ処理モジュール（周波数同期回路）４０６に接続される。第１のＲＦ処理モジュール４０４は、一緒に接続された第１のＲＦフィルタ４０８及びミキサ回路４１０を含む。第１のＲＦフィルタ４０８は、パスバンド・フィルタとして与えられることができ、そして周波数同期回路として動作する。第１のＲＦフィルタリング・モジュール４０４は、帯域選択コントローラ４１２によって選択された第１のキャリア周波数に同調されている。第１のＲＦフィルタ４０８は、選択されたキャリア帯域の範囲内の受信した信号を通し、そして選択されたキャリア帯域の範囲外の少なくとも複数の信号を除去する。
【００３７】
アンテナ４０２からの受信したパスバンド信号は、第１のＲＦフィルタ４０８に入力され、フィルタされ、そしてミキサ回路４１０によって処理されて、結果としてベースバンド信号になる。結果としてのベースバンド信号は、第１のＲＦ処理モジュール４０４から出力されそしてベースバンド・フィルタ４１４に入力される。ベースバンド・フィルタ４１４からのフィルタされた出力は、Ａ／Ｄコンバータ・モジュールに入力され、そこでアナログからディジタルへの変換が実行される。結果としての出力ディジタル信号は、追加のフィルタリングのためにディジタル・フィルタ４１８に入力される。その後、ディジタル・フィルタ４１８の出力は、ディジタル・シグナル処理モジュール４２０に入力される。ディジタル・シグナル処理モジュール４２０は、タイミング同期モジュール４２２、デコーダ４２３、及び信号品質検出器４２６を含む。それゆえ、ディジタル・シグナル処理モジュール５２０は、同報通信情報、同様にＷＴ固有の情報、例えば、個々のＷＴのために宛てられそして別のＷＴのためではない情報、を完全にデコーディングすることが可能である。
【００３８】
タイミング同期モジュール４２２は、処理される受信したデータ、例えば、ダウンリンク・トラフィック・チャネル信号、のタイミング同期化のために使用される。ＣＤＭＡ実施形態、同様にＯＦＤＭ実施形態が、予想される。ＣＤＭＡ実施形態中のタイミング同期モジュール４２２は、公知の逆拡散技術を使用して与えられることができる。ＯＦＤＭ実施形態中のタイミング同期モジュール４２２は、公知の技術を使用するシンボル・タイミング再生回路として与えられることができる。
【００３９】
デコーダ４２３は、入力ディジタル・データをデコードして、伝送されるオリジナルの送信された情報、例えば、ダウンリンク・トラフィック・チャネル・ユーザ・データ、ビーコン信号、パイロット信号等を抽出しそして再生する。デコーダ４２３は、同報通信信号、例えば、ビーコン信号、パイロット信号等をデコーディングするための同報通信モジュール４２４、及び移動体固有のダウンリンク信号、例えば、そのＷＴに受信機４０１が属している特定のＷＴ３００に宛てられたダウンリンク・トラフィック信号をデコーディングするための移動体固有モジュール４２５を含む。
【００４０】
信号品質検出器４２６は、評価される信号のエネルギー保有量を測定するための信号エネルギー測定回路４２８、評価される信号のＳＮＲを測定するためのＳＮＲ回路４３０及び／又は評価される信号のエラー・レートを推定するためのエラー推定器４３２を含む。信号品質検出器４２６は、例えば、受信機４０１へのダウンリンク・トラフィック・チャネル・シグナリングのために使用されるチャネルのために、第１の受信機チェーン４０３を経由して転送される信号の品質推定値を取得する。品質推定は、信号エネルギー測定回路４２８の出力、測定された信号エネルギー及び／又はエラー推定器４３２によって決定された受信されたデータ／情報の測定されたエラー・レート又は推定されたエラー・レートの関数であるＳＮＲ回路４３０の出力、に基づく。品質推定情報４１１、例えば、品質指標値は、帯域選択コントローラ４１２に転送される。
【００４１】
第２のＲＦ処理モジュール４０６は、一緒に接続された第２のＲＦフィルタ４３４及びミキサ回路４３６を含む。第２のＲＦフィルタ４３４は、パスバンド・フィルタとして与えられることができ、そして周波数同期回路として動作する。第２のＲＦフィルタリング・モジュール４０６は、帯域選択コントローラ４１２によって選択された第２のキャリア周波数に同調される。一般に、第２のＲＦ処理モジュール４０６に対して帯域選択コントローラ４１２によって選択されたキャリア周波数は、第１のＲＦ処理モジュール４０６に対して選択されたキャリア周波数とは異なる。第２のＲＦフィルタ４３４は、自身の選択されたキャリア帯域の範囲内の、例えば、第２の送信機から受信した信号を通し、そして選択されたキャリア帯域の範囲外の少なくとも複数の信号を除去する。アンテナ４０２からの受信したパスバンド信号は、ＲＦフィルタ４３４に入力され、そしてミキサ回路４３６によって処理されて、結果としてベースバンド信号になる。結果としてのベースバンド信号は、第２のＲＦ処理モジュール４０６から出力されそしてベースバンド・フィルタ４３８に入力される。ベースバンド・フィルタ４３８からのフィルタされた出力は、Ａ／Ｄコンバータ・モジュール４４０に入力され、そこでアナログからディジタルへの変換が実行される。ある複数の実施形態、例えば、ＣＤＭＡ実施形態では、信号は、タイミング同期モジュール４４２を経由して処理される。ＣＤＭＡ実施形態中のタイミング同期モジュール４４２は、公知の逆拡散技術を使用して与えられる。ある複数の実施形態、例えば、種々のＣＤＭＡ実施形態では、信号は、同報通信信号デコーダ４４４を経由して処理される。第２のチェーン４０５によって処理される信号がビーコン信号又はその他の信号であり、タイミング同期化及び／又はデコーディングが信号品質指標値４１３を発生させるために必要とされない場合には、タイミング同期モジュール４２２及び同報通信信号デコーダ４４４は、省略されることがある。結果としての出力ディジタル信号は、エネルギー検出及び／又はＳＮＲ検出モジュール４４６に入力される。エネルギー検出及び／又はＳＮＲ検出モジュール４４６は、信号エネルギー測定又はＳＮＲ測定、品質推定情報４１３に基づいて評価される信号に対応する可能性のあるダウンリンク・チャネルに対する品質推定値として使用されることが可能な情報を発生する。品質推定情報４１３、例えば、品質指標値は、帯域選択コントローラ４１２に転送される。
【００４２】
第２の受信機チェーン４０５のエネルギー検出及び／又はＳＮＲ検出モジュール４４６は、多くの実施形態では、第１の受信機チェーンのディジタル・シグナル処理モジュール４２０より、例えば、ゲート数又は実行可能な命令数のいずれかにおいて、演算の複雑性がより単純である。これは、多くの場合に、第２の受信機チェーン４０５を通過した信号に対応する信号品質指標値４１３を発生させるために、受信した信号をデコードする必要がなく、そしてデコーディングが使用される場合に、同報通信データのデコーディングに限定することができるために可能である。同報通信データは、通常、移動体固有のデータよりもデコードすることが容易であり、それは、移動体固有のデータの場合に比べて使用されるコーディングのタイプのため及び／又は同報通信信号が複数の移動体デバイスに到達するように意図されているので同報通信データのパワー送信レベルが移動体固有のデータのパワー送信レベルよりも多くの場合高いためである。
【００４３】
ディジタル・シグナル処理モジュール４２０及びエネルギー検出及び／又はＳＮＲ検出モジュール３３４からそれぞれ転送された品質指標情報（４１１，４１３）は、帯域選択コントローラ４１２によって使用されて、第１のＲＦ処理モジュール及び第２のＲＦ処理モジュール４０４，４０６によって使用されようとしているキャリア周波数帯域の設定に関する判断を行う。例えば、どの帯域、そしてそれゆえどの基地局セクタ送信機が、ダウンリンク・トラフィック通信を受信するために選択されるべきであるか、そしてどの帯域が、追加の品質モニタリングのために選択されるべきか、である。ある複数の実施形態では、第１のＲＦ処理モジュール４０４は、ダウンリンク・トラフィック・チャネル信号に対して現在使用されているキャリア上に留まるべきであり、一方で、ダウンリンク・トラフィック・シグナリングに対して使用される主キャリア周波数帯域を変更するように判断がなされるまで、第２のＲＦ処理モジュール４０６は、残りの利用可能な周波数帯域全体を定期的に探すために制御されるはずである。その場合には、帯域選択コントローラ４１２は、第１のＲＦ処理モジュール４０４に入力されるキャリア選択を変更するはずである。キャリア周波数帯域の選択判断を行う際に、そして選択されたキャリア周波数帯域の変更を行う際に、種々の基準が使用されることができ、別の測定された品質指標値及び／又は予め決められたしきい値に対する測定された品質指標値の比較、ワイアレス端末の現在のＱｏＳレベル、及び／又は全体のシステム・ローディングを含む。
【００４４】
ある複数の実施形態では、複数のアンテナ４０２、例えば、各受信機チェーンに対して１つが使用されることができる。
【００４５】
ある複数の実施形態では、第１の受信機チェーン４０３は、第１のワイドバンド信号、例えば、ＣＤＭＡ又はＯＦＤＭを受信するためのスペクトル拡散受信機である。ある複数の実施形態では、図４に示された２つの受信機チェーン４０３，４０５の各々は、複数のスペクトル拡散信号、例えば、少なくとも１ＭＨｚ幅の第１のワイドバンド信号及び第２のワイドバンド信号を処理する。第１のワイドバンド信号及び第２のワイドバンド信号は、ある複数の実施形態では、複数の周波数の重ならない別のセットに対応することができる。ある複数のＯＦＤＭ実施形態では、第２の受信機チェーン４０５中のオプションの同期モジュール４４２は、使用されない。ある複数のＯＦＤＭ実施形態では、同報通信信号デコーダ４４４は使用されることがあるが、他方で別のＯＦＤＭ実施形態では、同報通信信号デコーダ４４４は必要とされず、そして省略される。第２の受信機チェーン４０５によって処理される受信された信号がＣＤＭＡ信号である実施形態では、第２の受信機チェーン４０５中の同期モジュール４４２が使用され、一方で同報通信信号デコーダ４４４は、使用されることもあるし使用されないこともある。ある複数の実施形態では、同報通信信号デコーダ４４４は、同報通信情報、例えば、制御情報をデコードするために使用されることがあるが、ユーザに固有のデータ、例えば、別の１つの移動体とのユーザ通信セッションに対応するデータのデコーディングをサポートしない。
【００４６】
第２の受信機チェーン４０５は、ある複数の実施形態では、第１の受信機チェーン４０３よりも少ないハードウェアを使用して与えられ、第１の受信機チェーン４０３を与えるために使用されるハードウェアは、第２の受信機チェーン４０５よりも多くの論理ゲートを含む。第１の受信機チェーン及び第２の受信機チェーン（４０３，４０５）は、ある複数の実施形態では、プログラム可能なプロセッサを使用して与えられ、第２の受信機チェーン４０５は、第１の受信機チェーン４０３より演算が複雑でなく、そして実行するためにプログラム可能なプロセッサによる演算をより少ししか必要としない。
【００４７】
図５は、本発明にしたがった具体例のワイアレス端末受信機５０１／アンテナ５０２組み合わせ５００の別の一例である。図５の受信機／アンテナ組み合わせ５００は、図３のＷＴ３００中の受信機３０２／アンテナ３１２組み合わせとして使用されることができる。受信機５０１は、本発明にしたがって、受信機の具体例の実施形態を図示し、これは同じＲＦフィルタされた帯域に含まれる別の信号、例えば、異なる基地局セクタ送信機及び／又は異なる送信アンテナに対応する複数のキャリア帯域を含むフィルタされた帯域を同時に処理できる。図５の受信機５０１は、バス５０９を介して一緒に接続された第１の受信機チェーン５０３、第２の受信機チェーン５０５、帯域選択コントローラ５１２、及びＩ／Ｏインターフェース５０７を含み、バスを介して種々の要素はデータ及び情報を交換できる。ＲＦ処理モジュール５０４は、第１の受信機チェーン５０３及び第２の受信機チェーン５０５の両方に共通である。受信機５０１は、バス３１２に受信機５０１を接続するＩ／Ｏインターフェース５０７を介してＷＴ３００の別の要素と通信できる。デコードされたダウンリンク・トラフィック・チャネル信号は、例えば、ディスプレイ及び／又は別のＷＴ構成要素のような１又はそれより多くの外部デバイスにインターフェース５０７を介して伝達されることができる。
【００４８】
第１の受信機チェーン５０３、第２の受信機チェーン５０５、及び帯域選択コントローラ５１２は、図３のＷＴ３００の、それぞれ要素（３１４，３１８，３１６）に対応することがある。受信機５０１は、複数の基地局セル／セクタ送信機からダウンリンク信号を受信するアンテナ５０２に接続される。アンテナ５０２は、ＲＦ処理モジュール（周波数同期回路）５０４に接続される。ＲＦ処理モジュール５０４は、ＲＦフィルタ５０８及びミキサ回路５１０を含む。第１のＲＦフィルタ５０８は、例えば、５ＭＨｚのパスバンドを有する、パスバンド・フィルタとして与えられることができ、そして周波数同期回路として動作する。アンテナ５０２からの受信したパスバンド信号は、ＲＦフィルタ５０８に入力され、フィルタされ、そしてミキサ回路５１０によって処理される。結果としてのベースバンド信号は、ＲＦ処理モジュール５０４から出力されそして１対のベースバンド・フィルタ５１４，５１８に入力される。ベースバンド・フィルタ５１４は、第１の受信機チェーン５０３の一部であり、一方で、ベースバンド・フィルタ５３８は、第２の受信機チェーン５０５の一部である。ベースバンド信号は、複数の部分帯域、例えば、３つ又は４つの１．２５ＭＨｚ部分帯域、に細分化されることがある。ある複数の実施形態では、各部分帯域は、別のキャリアに対応できる。各受信された部分帯域は、異なる、例えば、隣接する基地局セル及び／又はセクタ送信機に対応でき、そしてＷＴのためのダウンリンク・トラフィック・シグナリングに対する選択肢の可能性のある接続点を表すことがある。帯域選択コントローラ５１２は、各ベースバンド・フィルタ５１４，５１８に信号を出力し、どの部分帯域を通すかを選択する。
【００４９】
第１の受信機チェーン５０３に関して、ベースバンド・フィルタ５１４は、第１の選択された部分帯域を通し、そしてその他の部分帯域の少なくとも一部を除去する。ベースバンド・フィルタ５１４からのフィルタされた出力は、Ａ／Ｄコンバータ・モジュール５１６に入力され、そこでアナログからディジタルへの変換が実行される。結果としての出力ディジタル信号は、追加のフィルタリングのためにディジタル・フィルタ５１８に入力される。その後、ディジタル・フィルタ５１８の出力は、ディジタル・シグナル処理モジュール５２０に入力される。
【００５０】
ディジタル・シグナル処理モジュール５２０は、タイミング同期モジュール５２２、デコーダ５２３、及び信号品質検出器５２６を含む。それゆえ、ディジタル・シグナル処理モジュール５２０は、同報通信情報、同様にＷＴ固有の情報、例えば、個々のＷＴのために宛てられそして別のＷＴのためではない情報を完全にデコーディングすることが可能である。
【００５１】
タイミング同期モジュール５２２は、処理される受信したデータのタイミング同期化のために使用される。ＣＤＭＡ実施形態、同様にＯＦＤＭ実施形態が、予想される。ＣＤＭＡ実施形態中のタイミング同期モジュール５２２は、公知の逆拡散技術を使用して与えられることができる。ＯＦＤＭ実施形態中のタイミング同期モジュール５２２は、公知の技術を使用するシンボル・タイミング再生回路として与えられることができる。デコーダ５２３は、入力ディジタル・データをデコードして、伝送されるオリジナルの送信された情報、例えば、ダウンリンク・トラフィック・チャネル・ユーザ・データ、ビーコン信号、パイロット信号等を抽出しそして再生する。デコーダ５２３は、同報通信信号、例えば、ビーコン信号、パイロット信号等をデコーディングするための同報通信モジュール５２４、及び移動体固有のダウンリンク信号、例えば、そのＷＴに受信機５０１が属している特定のＷＴ３００に宛てられたダウンリンク・トラフィック信号をデコーディングするための移動体固有モジュール５２５を含む。
【００５２】
信号品質検出器５２６は、評価される信号のエネルギー保有量を測定するための信号エネルギー測定回路５２８、評価される信号のＳＮＲを測定するためのＳＮＲ回路５３０、及び／又は評価される信号の受信されたデータ／情報のエラー・レートを測定するため及び／又は推定するためのエラー推定器５３２を含む。信号品質検出器５２６は、第１の受信機チェーンによって現在選択された帯域内で基地局セル／セクタ送信機から受信機５０３への情報を現在伝達しているチャネル、例えば、受信機５０１とのダウンリンク・トラフィック・チャネル・シグナリングのために使用されているチャネルのための、品質推定値を取得する。発生された品質推定値は、信号エネルギー測定回路５２８の出力、測定された信号エネルギーの関数であるＳＮＲ回路５３０の出力及び／又はエラー推定器５３２によって決定された受信したデータ／情報の推定されたエラー・レートに基づく。品質推定情報５１１、例えば、品質指標値は、帯域選択コントローラ５１２に転送される。
【００５３】
第２の受信機チェーン５０５に関して、ベースバンド・フィルタ５３８は、第２の選択された部分帯域を通し、そしてその他の部分帯域の少なくとも一部を除去する。ベースバンド・フィルタ５３８からのフィルタされた出力は、Ａ／Ｄコンバータ・モジュール５４０に入力され、そこでアナログからディジタルへの変換が実行される。ある複数の実施形態、例えば、ＣＤＭＡ実施形態では、信号は、タイミング同期モジュール５４２を経由して処理される。ＣＤＭＡ実施形態中のタイミング同期モジュール５４２は、公知の逆拡散技術を使用して与えられる。ある複数の実施形態、例えば、種々のＣＤＭＡ実施形態では、信号は、同報通信信号デコーダ５４４を経由して処理される。
【００５４】
結果としての出力ディジタル信号は、エネルギー検出及び／又はＳＮＲ検出モジュール５４６に入力される。エネルギー検出及び／又はＳＮＲ検出モジュール５４６は、信号品質情報５１３、信号エネルギー測定又はＳＮＲ測定に基づいて評価される信号に対応する可能性のあるダウンリンク・チャネルに対する品質推定値を発生する。第２の受信機チェーン５０５によって評価される受信した信号は、例えば、第１の受信機チェーン５０３に対応する基地局セル／セクタ送信機に対して隣接する基地局セル／セクタ送信機から送信された検出されたビーコン信号であり得る。信号品質情報５１３、例えば、品質指標値は、例えば、第１の受信機チェーン５０３に対応する第１の周波数帯域と第２の受信機チェーン５０５に対応する第２の周波数帯域との間の選択をするために、帯域選択判断を行う際に使用するために帯域選択コントローラ５１２に転送される。
【００５５】
第２の受信機チェーン５０５のエネルギー検出及び／又はＳＮＲ検出モジュール５４６は、多くの実施形態では、第１の受信機チェーン５０３のディジタル・シグナル処理モジュール８２０より、例えば、ゲート数又は実行可能な命令数のいずれかにおいて、演算の複雑性がより単純である。これは、多くの場合に、第２の受信機チェーン５０５を通過した信号に対応する品質推定情報５１３を発生させるために受信した信号をデコードする必要がなく、そしてデコーディングが使用される場合に、同報通信データのデコーディングに限定することができるために可能である。同報通信データは、移動体固有のデータの場合に比べて使用されるコーディングのタイプのために及び／又は同報通信信号が複数の移動体デバイスに到達するように意図されているので同報通信データのパワー送信レベルが移動体固有のデータのパワー送信レベルよりも多くの場合高いために、移動体固有のデータよりもデコードすることが容易である。
【００５６】
ディジタル・シグナル処理モジュール５２０及びエネルギー検出及び／又はＳＮＲ検出モジュール５４６から転送された情報は、ベースバンド・フィルタ５１４，５１６に対して選択された部分帯域の設定に関する判断を行うために、帯域選択コントローラ５１２によって使用される。ある複数の実施形態では、第１の受信機チェーン・ベースバンド・フィルタ５１４は、ダウンリンク・トラフィック・チャネル信号に対して現在使用されている部分帯域上に留まるはずであり、一方で、ダウンリンク・トラフィック・シグナリングのために使用される部分帯域を変更するように判断がなされるまで、第２のベースバンド・フィルタ５３８は、残りの利用可能な部分帯域全体を定期的に探すように制御されるはずである。その後、帯域選択コントローラ５１２は、第１のベースバンド・フィルタ５１４の設定を新たな値に変更する。部分帯域の選択判断を行う際に、そして選択された部分帯域の変更を行う際に、種々の基準が使用されることができ、別の測定された品質指標値及び／又は予め決められたしきい値に対する測定された品質指標値の比較、ワイアレス端末の現在のＱｏＳレベル、及び全体のシステム・ローディングを含む。
【００５７】
ある複数の実施形態では、第１の受信機チェーン５０３は、第１のワイドバンド信号、例えば、ＣＤＭＡ又はＯＦＤＭを受信するためのスペクトル拡散受信機である。ある複数の実施形態では、図５に示された２つの受信機チェーン５０３，５０５の各々は、複数のスペクトル拡散信号、例えば、少なくとも１ＭＨｚ幅の第１のワイドバンド信号及び第２のワイドバンド信号を処理する。第１のワイドバンド信号及び第２のワイドバンド信号は、ある複数の実施形態では、複数の周波数の重ならない別のセット、例えば、５ＭＨｚシステム内の別々の１．２５ＭＨｚ帯域に対応することができる。ある複数のＯＦＤＭ実施形態では、第２の受信機チェーン５０５中のオプションの同期モジュール５５２は、使用されない。ある複数のＯＦＤＭ実施形態では、同報通信信号デコーダ５４４は使用されるが、一方で別のＯＦＤＭ実施形態では、同報通信信号デコーダ５４４は必要とされず、そして省略される。第２の受信機チェーン５０５によって処理される信号がＣＤＭＡ信号である実施形態では、第２の受信機チェーン５０５中の同期モジュール５４２が使用され、一方で同報通信信号デコーダ５４４が、使用されることもあるし使用されないこともある。ある複数の実施形態では、同報通信信号デコーダ５４４は、同報通信情報、例えば、制御情報をデコードするために使用されることがあるが、ユーザに固有のデータ、例えば、別の１つの移動体とのユーザ通信セッションに対応するデータのデコーディングをサポートしない。
【００５８】
第２の受信機チェーン５０５は、ある複数の実施形態では、第１の受信機チェーン５０３よりも少ないハードウェアを使用して与えられ、第１の受信機チェーン５０３を与えるために使用されるハードウェアは、第２の受信機チェーン５０５よりも多くの論理ゲートを含む。第１の受信機チェーン及び第２の受信機チェーン（５０３，５０５）は、ある複数の実施形態では、プログラム可能なプロセッサを使用して与えられ、第２の受信機チェーン５０５は、第１の受信機チェーン５０３より演算が複雑でなく、そして実行するためにプログラム可能なプロセッサによる演算をより少ししか必要としない。
【００５９】
図６−１０は、本発明にしたがった具体例のワイアレス端末受信機による具体例のシグナリング及び帯域選択を図示する。
【００６０】
図６は、具体例の送信機シグナリングを説明する図６００である。５ＭＨｚの全体ＢＷ６０１を使用する具体例のセル当り３セクタの多数セル・ワイアレス通信システム中の具体例のワイアレス端末、例えば、ＷＴ３００があると仮定する。ワイアレス端末、例えば、動いている移動体ノードは、システム中に現在位置しており、その結果、複数の信号：ＢＳセル１セクタＣ送信機６０２から、ＢＳ２セクタＢ送信機６０４からある複数の信号、ＢＳ３セクタ送信機６０６からある複数の信号を、受信できる。ＷＴが送信機６０２に以前は最も近かったが、送信機６０４に現在最も近いと仮定する。ＢＳセル１セクタＣ送信機６０２は、１．２５ＭＨｚ  ＢＷ帯域６１０内のキャリア周波数ｆ０  ６０８を使用してダウンリンク信号６０７を送信する。ＢＳ２セクタＢ送信機６０４は、１．２５ＭＨｚ  ＢＷ帯域６１６内のキャリア周波数ｆ１  ６１４を使用してダウンリンク信号６１２を送信する。ＢＳ３セクタ送信機６０６は、１．２５ＭＨｚ  ＢＷ帯域６２４内のキャリア周波数ｆ２  ６２２を使用してダウンリンク信号６２０を送信する。ＢＳセル１セクタＣ送信機６０２が、ダウンリンク・トラフィック・チャネル・シグナリングに関して関心のあるＷＴに対する現在の接続の点であると仮定する。
【００６１】
信号６０７は、大きな黒くされた長方形で表されたビーコン信号６２６を含み、そしてＷＴに対するダウンリンク・トラフィック信号６２８は、小さな長方形で表される。関心のある特定のＷＴに対して向けられたダウンリンク・トラフィック信号６３０、例えば、スペクトル拡散ＯＦＤＭ信号は、黒くされている。信号６１２は、大きな黒くされた長方形によって表されたビーコン信号６３２及び小さな長方形によって表されたＷＴに対するダウンリンク・トラフィック信号６３４を含む。信号６２０は、大きな黒くされた長方形によって表されたビーコン信号６３６及び小さな長方形によって表されたＷＴに対するダウンリンク・トラフィック信号６３８を含む。この具体例の実施形態では、ビーコン信号６２６，６３２，６３６の各々は、同じ送信パワー・レベルで送信される。他の実施形態では、異なる送信パワー・レベルが、異なるビーコン信号に対して使用されることができ、与えられたＷＴは、各ビーコン信号に割り当てられた送信パワーを知る、又は異なるビーコン信号に割り当てられた複数の送信パワー・レベルの間の関係を知る。
【００６２】
図７は、ＷＴ受信機における具体例の複合信号７０２及び関係する周波数情報を説明する図７００である。図７、信号７０２は、関心のあるＷＴの受信機アンテナにおける複合信号を表す。信号７０２は、成分７０４，６０７’、７０６，６１２’、７０８，６２０’及び７１０を含む。成分７０４，７０６，７０８，７１０は、関心のある周波数帯域６１０外のノイズ信号を表す。信号６０７’は、キャリア周波数ｆ０  ６０８を有するＢＳセル１セクタＣ送信機６０２から供給された信号６０７の受信されたコピーを表す。信号６０７’は、例えば、チャネル・ゲインのために、送信された信号６０６から強度が中間的に低下してきており、そしてしかもノイズによって変形されてきている。信号６１２’は、キャリア周波数ｆ１  ６１４を有するＢＳセル２セクタＢ送信機６０４から供給された信号６１２の受信されたコピーを表す。信号６１２’は、例えば、チャネル・ゲインのために、送信された信号６１２から強度がわずかに低下してきており、そしてしかもノイズによって変形されてきている。信号６２０’は、キャリア周波数ｆ２  ６２２を有するＢＳセル３セクタＡ送信機６０６から供給された信号６２０の受信されたコピーを表す。信号６２０’は、例えば、チャネル・ゲインのために、送信された信号６２０から強度がわずかに低下してきており、そしてしかもノイズによって変形されてきている。
【００６３】
図８は、具体例のＷＴ実施形態における帯域選択を説明する図であり、そこでは受信機は図４の２つのＲＦモジュール受信機４００の１実施形態である。図７の複合信号７０２は、第１のＲＦ処理モジュール４０４及び第２のＲＦ処理モジュール４０６の両方によって受信される。前に説明したように、ＢＳセル１セクタＣ送信機６０２は、関心のあるＷＴへのダウンリンク・トラフィック・シグナリングのための現在の接続点である、そうであるので、帯域選択コントローラ４１２は、周波数ｆ０を選択する第１のＲＦ処理モジュール４０４に信号８０２を送る。帯域選択コントローラ４１２は、周波数ｆ１を選択する第２のＲＦ処理モジュール４０６に信号８０４を送る。
【００６４】
第１のＲＦ処理モジュール４０４は、信号７０２からベースバンド信号６０７”、信号６０７’に含まれた情報のフィルタされた表示を抽出する。同様に、第２のＲＦ処理モジュール４０６は、信号７０２からベースバンド信号６１２”、信号６１２’に含まれた情報のフィルタされた表示を抽出する。
【００６５】
情報６０６”は、第１の受信機チェーン構成要素４１４，４１６，４１８，４２０によって処理されて、品質推定情報１  ４１１を得る。品質推定情報１  ４１１は、処理されたビーコン信号６２６及び関心のあるＷＴに向けられそしてそのＷＴによって受信された処理されたダウンリンク・トラフィック信号６３０のエネルギー及びＳＮＲ推定値に基づいている。その上、情報４１１は、同様に、関心のあるＷＴに向けられたダウンリンク・トラフィック信号において受信されたデータのエラー・レートに基づく。
【００６６】
情報６１２”は、第２の受信機チェーン構成要素４３８，４４０，４４２，４４４，４４６によって処理されて、品質推定情報２  ４１３を得る。品質推定情報２  ４１３は、処理されたビーコン信号６３２のエネルギー及びＳＮＲ推定値に基づく。
【００６７】
帯域選択コントローラは、情報４１１，４１３を受信し、チャネル２の品質がチャネル１の品質よりも良いこと、そしてＷＴが自身の接続点を変えるべきであることを決定する。適切な時間に、例えば、サービスの中断を最小にするために、帯域選択コントローラ４１２は、第１のＲＦ処理モジュール４０４に信号８０２’を送って、周波数ｆ１に選択を変更し、そして第２のＲＦ処理モジュール４０６に信号８０４’を送って、ｆ０に選択を変更する。
【００６８】
図９は、具体例のＷＴ実施形態における帯域選択を説明する図９００であり、そこでは受信機は、共通ＲＦモジュール５０４を含む図５の２つのチェーン受信機５００の１実施形態である。図７の複合信号７０２は、共通ＲＦモジュール５０４によって受信される。前に説明したように、ＢＳセル１セクタＣ送信機６０２は、関心のあるＷＴへのダウンリンク・トラフィック・シグナリングのための現在の接続点である、そうであるので、帯域選択コントローラ５１２は、周波数ｆ０帯域に対応する情報を選択する第１のチェーン・ベースバンド・フィルタ５１４に信号９０２を送る。帯域選択コントローラ５１２は、周波数ｆ１帯域に対応する情報を選択する第２のチェーン・ベースバンド・フィルタ５３８に信号９０４を送る。
【００６９】
共通ＲＦモジュール５０４は、信号７０２からベースバンド信号７０２’、信号７０２に含まれた情報のフィルタされた表示、例えば、ベースバンド信号表示、を抽出する。ベースバンド信号７０２’は、それぞれ、信号（６０７’、６１２’、６２０’）中に含まれた情報の情報（６０７”’、６１２”’、６２０”’）表示を含む。ベースバンド信号７０２’は、第１のチェーン・ベースバンド・フィルタ５１４及び第２のチェーン・ベースバンド・フィルタ５３８に伝送される。第１のチェーン・ベースバンド・フィルタ５１４は、情報６０７””、情報６０７”’の表示、を抽出し、他方で、第２のチェーン・ベースバンド・フィルタ５３８は、情報６１２””、情報６１２”’の表示、を抽出する。情報６０７””は、第１の受信機チェーン構成要素５１６，５１８，５２０によって処理されて、品質推定情報１  ５１１を得る。品質推定情報１  ５１１は、処理されたビーコン信号６２６及び関心のあるＷＴに向けられそしてそのＷＴによって受信された処理されたダウンリンク・トラフィック信号６３０のエネルギー及びＳＮＲ推定値に基づく。その上、情報５１１は、同様に、関心のあるＷＴに向けられたダウンリンク・トラフィック信号において受信されたデータのエラー・レートに基づく。
【００７０】
情報６１２””は、第２の受信機チェーン構成要素５４０，５４２，５４４、５４６によって処理されて、品質推定情報２  ５１３を得る。品質推定情報２  ５１３は、処理されたビーコン信号６３２のエネルギー及びＳＮＲ推定値に基づく。
【００７１】
帯域選択コントローラは、情報５１１，５１３を受信し、チャネル２の品質がチャネル１の品質よりも良いこと、そしてＷＴが自身の接続点を変えるべきであることを決定する。適切な時間に、例えば、サービスの中断を最小にするために、帯域選択コントローラ５１２は、第１のベースバンド・フィルタ５１４に信号９０２’を送って、周波数ｆ１に選択を変更し、そして第２のベースバンド・フィルタ５３８に信号９０４’を送って、ｆ０に選択を変更する。
【００７２】
図１０は、関心のあるワイアレス端末が自身の帯域選択及び接続点を変更した後の具体例の送信機シグナリングを説明する図１０００である。関心のあるＷＴは、複数の信号：ＢＳセル１セクタＣ送信機６０２から、ＢＳ２セクタＢ送信機６０４からある複数の信号、ＢＳ３セクタ送信機６０６からある複数の信号を、受信できる。ＢＳセル１セクタＣ送信機６０２は、１．２５ＭＨｚ  ＢＷ帯域６１０内のキャリア周波数ｆ０  ６０８を使用してダウンリンク信号１００７を送信する。ＢＳセル２セクタＢ送信機６０４は、１．２５ＭＨｚ  ＢＷ帯域６１６内のキャリア周波数ｆ１  ６１４を使用してダウンリンク信号１０１２を送信する。ＢＳ３セクタＡ送信機６１８は、１．２５ＭＨｚ  ＢＷ帯域６２４内のキャリア周波数ｆ２  ６２２を使用してダウンリンク信号１０２０を送信する。ここで、ＢＳセル２セクタＢ送信機６０４が、ダウンリンク・トラフィック・チャネル・シグナリングに関して関心のあるＷＴに対する現在の接続点であると仮定する。
【００７３】
信号１００６は、大きな黒くされた長方形で表されたビーコン信号１０２６を含み、そしてＷＴに対するダウンリンク・トラフィック信号１０２８は、小さな長方形で表される。信号１０１２は、大きな黒くされた長方形によって表されたビーコン信号１０３２及び小さな長方形によって表されたＷＴに対するダウンリンク・トラフィック信号１０３４を含む。関心のある特定のＷＴに向けられたダウンリンク・トラフィック信号１０３３、例えば、ＯＦＤＭスペクトル拡散信号は、黒くされている。信号１０２０は、大きな黒くされた長方形によって表されたビーコン信号１０３６及び小さな長方形によって表されたＷＴに対するダウンリンク・トラフィック信号１０３８を含む。
【００７４】
図８及び図９の例は、帯域選択の際の変更に結果としてなる２つのキャリア帯域に対応する情報間の比較を示すが、ある複数の実施形態では、情報は、別の利用可能なキャリア帯域上に集められることがあり、そしてもし実行されるのであればキャリアを切り替えるための判断の前に評価されることができる。例えば、第１の受信機チェーン４０３又は５０３は、１つのキャリア、例えば、ダウンリンク・トラフィック・シグナリングのための接続点として現在使用されているキャリア上に固定されたまま留まることができるが、他方で第２の受信機チェーン４０５又は５０５は、その情報から帯域選択が実行されることができる品質指標情報のセットを取得するために可能性のある選択肢のキャリアの各々の間で代えられることができる。
【００７５】
ワイアレス端末がダウンリンク・シグナリングのために送信機に現在接続されていず、そしてそのワイアレス端末が接続することを望んでいるある複数の実施形態では、受信機チェーンの各々は、可能性のあるキャリアを検索するために設定されそして使用されることができ、品質情報を収集し、その結果、帯域選択が実行されることができる。
【００７６】
１つの具体例のＯＦＤＭ（Orthogonal Frequency Division Multiplexed：直交周波数分割マルチプレックスされた）実施形態では、ビーコン信号は、例えば、１つを使用して、周波数に関して狭い信号として送信される比較的高パワーにされた信号として与えられる。ビーコン信号が具体例のＯＦＤＭ実施形態において送信される場合に、送信パワーの大部分は、ビーコン信号を備える１つのトーン又は少数のトーンに集中される。ある複数の実施形態では、ビーコン信号は、パスバンド・フィルタの帯域に比較して周波数幅が狭い、例えば、パスバンド・フィルタの大きくとも１／２０の周波数幅である。
【００７７】
１つの実施形態では、品質指標は、受信機によって発生され、送信機によって送信されたビーコン信号、例えば、狭い（周波数に関して）高パワー信号を含む信号を受信することによって生成される。１つのそのような実施形態では、受信された信号は、時間ドメインから周波数ドメイン処理動作を行われ、この処理動作は各トーンが異なる周波数に対応する別の信号トーンに対応する複数の信号成分を生成する。複数の信号トーン、例えば、ビーコン信号に対応するトーンのうちの１つのエネルギーは、その送信機からビーコン信号が受信された送信機へのチャネルの品質の推定値として測定されそして使用される。この処理は、各受信機チェーンが別の送信機からのビーコン信号を処理する２つの受信機チェーンの各々によって実行されることができる。そのような実施形態は、ＯＦＤＭアプリケーションに特に良く適している。
【００７８】
ＯＦＤＭシステムの関係で主に説明されたが、本発明の方法及び装置は、多くの非ＯＦＤＭシステム及び／又は非セルラ・システムを含む広範囲の通信システムに適用可能である。
【００７９】
全ての実施形態である必要はないがある複数の実施形態において、ビーコン信号トーンは、ユーザ・データ及び／又は非ビーコン制御信号を送信するために使用する信号トーンのトーン当りの平均信号エネルギーの１０倍、２０倍、３０倍又はそれ以上の倍数であるトーン当りの信号エネルギーで送信される。単一トーン・ビーコン信号の場合では、ビーコン信号の周波数は、ビーコン信号を形成する単一の高パワー・トーンの周波数から容易に決定されることができる。別の送信機から受信されたビーコン信号のエネルギーは、チャネル品質の指標として測定されそして使用されることができる。ビーコン信号エネルギーの比較は、ビーコン信号を送信する複数の送信機に対応する複数のキャリアの間で選択するために使用されることができ、多くの場合に高パワーのビーコン信号に対応する送信機が選択される。
【００８０】
種々の実施形態において、本明細書中で説明されたノードは、１又はそれより多くのモジュールを使用して与えられ、本発明の方法の１又はそれより多くのステップ、例えば、キャリア帯域選択、ディジタル・シグナル・プロセシング、エネルギー検出／ＳＮＲ検出、デコーディング、タイミング同期化、信号品質検出、等を実行する。エネルギー検出は、信号又は信号成分中のエネルギーを測定することを包含できる。ある複数の実施形態では、本発明の種々の特徴が、複数のモジュールを使用して与えられる。そのようなモジュールは、ソフトウェア、ハードウェア、又はソフトウェアとハードウェアの組み合わせを使用して与えられることができる。上に説明した方法又は方法のステップの多くは、例えば、１又はそれより多くのノードにおいて、上に説明した方法の全て又は一部分を与えるために、機械、例えば、増設ハードウェアのある又はない汎用コンピュータを制御するために、メモリ・デバイス、例えば、ＲＡＭ、フロッピディスク（登録商標）等のような機械読み取り可能な媒体中に含まれたソフトウェアのような機械実行可能な命令を使用して与えられることができる。したがって、他の複数のものの中で、本発明は、上に記載された（複数の）方法の１又はそれより多くのステップを実行するために、機械、例えば、プロセッサ及び関係するハードウェア、を動作させるための機械実行可能な命令を含んでいる機械読み取り可能な媒体に向けられる。
【００８１】
上に記載された本発明の方法及び装置についての多くのさらなる変形は、本発明の上記の説明を考慮して当業者に明らかであろう。そのような変形は、本発明の範囲内であると考えられるべきである。本発明の複数の方法及び装置は、そして種々の実施形態は、ＣＤＭＡ通信技術，直交周波数分割マルチプレキシング（ＯＦＤＭ）通信技術、及び／又は複数のアクセス・ノードと移動体ノードとの間のワイアレス通信リンクを提供するために使用されることができる種々のその他のタイプの通信技術、を用いて使用されることができる。ある複数の実施形態では、アクセス・ノードは、ＯＦＤＭ及び／又はＣＤＭＡを使用して移動体ノードと通信リンクを確立する基地局として与えられる。種々の実施形態において、移動体ノードは、本発明の方法を実行するために、ノートブック・コンピュータ、パーソナル・ディジタル・アシスタンツ（ＰＤＡ）、又は受信機／送信機回路及び論理素子を含むその他の携帯型デバイス及び／又はルーチンとして与えられる。
【図面の簡単な説明】
【００８２】
【図１】図１は、本発明にしたがって実行され、そして本発明の方法を使用する複数のキャリアをサポートする具体例のワイアレス通信システムの図である。
【図２】図２は、本発明にしたがって実行され、そして本発明の方法を使用する具体例の基地局の図である。
【図３】図３は、本発明にしたがって実行され、そして本発明の方法を使用する具体例のワイアレス端末の図である。
【図４】図４は、本発明にしたがって実行されそして本発明の方法を使用し、第２のチェーンより高い複雑性レベルを有する第１のチェーンを含んでいる具体例の２つのチェーン受信機の図である。
【図５】図５は、第２のチェーンより高い複雑性レベルを有する第１のチェーンを含んでいる別の１つの具体例の２つのチェーン受信機の図である、ここにおいて、両方の受信機チェーンは、共通ＲＦモジュールを共有し、そして帯域選択がベースバンド・フィルタを通して制御され、該受信機は本発明にしたがって実行されそして本発明の方法を使用する。
【図６】図６は、本発明にしたがった具体例のワイアレス端末受信機による具体例のシグナリング及び帯域選択を図示する。
【図７】図７は、本発明にしたがった具体例のワイアレス端末受信機による具体例のシグナリング及び帯域選択を図示する。
【図８】図８は、本発明にしたがった具体例のワイアレス端末受信機による具体例のシグナリング及び帯域選択を図示する。
【図９】図９は、本発明にしたがった具体例のワイアレス端末受信機による具体例のシグナリング及び帯域選択を図示する。
【図１０】図１０は、本発明にしたがった具体例のワイアレス端末受信機による具体例のシグナリング及び帯域選択を図示する。
【符号の説明】
【００８３】
１００…ワイアレス通信システム，１３３，１３５，１３７，１３９，１４１，１４３…ワイアレス・リンク，１７０，１７２，１７４，１７６…ネットワーク・リンク，２１６，２２６，２２８…アンテナ，２１４…バス，６０７，６１２，６２０…ダウンリンク信号，６２６，６３２，６３６…ビーコン信号，６２８，６３４，６３８…ダウンリンク・トラフィック信号，６３０…特定のＷＴに対して向けられたダウンリンク・トラフィック信号，７０４，７０６，７０８，７１０…ノイズ信号。
【図１】
2007533254.tif 000003
【図２】
2007533254.tif 000004
【図３】
2007533254.tif 000005
【図４】
2007533254.tif 000006
【図５】
2007533254.tif 000007
【図６】
2007533254.tif 000008
【図７】
2007533254.tif 000009
【図８】
2007533254.tif 000010
【図９】
2007533254.tif 000011
【図１０】
2007533254.tif 000012
【国際調査報告】
2007533254.tif 000013